(57)【要約】【課題】雑音の多い環境において、撮像対象が発する音を集音するカメラボディ及び撮像装置を提供する。【解決手段】撮像装置１のカメラボディ１００では、フィルタ処理部２５が、撮影の際に集音された音情報の少なくとも一部の周波数成分を、撮影の撮影条件に応じた周波数特性にしたがって制限する。録音制御部２６が、フィルタ処理部２５によって周波数成分が制限された音情報を、撮影で取得された動画情報と関連付けて記録する。【選択図】図１
2011018995.tif 000002
【特許請求の範囲】
【請求項１】
撮影の際に集音された音情報の少なくとも一部の周波数成分を、前記撮影の撮影条件に応じた周波数特性にしたがって制限する信号処理手段と、
前記信号処理手段によって周波数成分が制限された音情報を、前記撮影で取得された動画情報と関連付けて記録する記録手段と、
を備えることを特徴とするカメラボディ。
【請求項２】
ユーザーの操作に基づいて前記撮影の撮影モードを選択する選択手段を備え、
前記撮影条件は、
前記選択手段によって選択された撮影モードである
ことを特徴とする請求項１に記載のカメラボディ。
【請求項３】
前記撮影条件は、
前記カメラボディに着脱可能なレンズ鏡筒から出力される距離信号によって示される距離である
ことを特徴とする請求項１に記載のカメラボディ。
【請求項４】
前記撮影条件は、
前記カメラボディに着脱可能なレンズ鏡筒から出力される焦点距離である
ことを特徴とする請求項１に記載のカメラボディ。
【請求項５】
前記撮影条件は、
前記カメラボディに着脱可能なレンズ鏡筒の種別である
ことを特徴とする請求項１に記載のカメラボディ。
【請求項６】
前記信号処理手段は、
前記音情報を出力する集音手段の周波数感度特性が不明である場合には、前記周波数特性にしたがって制限すること禁止する
ことを特徴とする請求項１から請求項５のいずれかに記載のカメラボディ。
【請求項７】
請求項１から請求項６のいずれかに記載のカメラボディと、
を備えることを特徴とする撮像装置。
【発明の詳細な説明】
【技術分野】
【０００１】
本発明は、動画撮影時に集音するカメラボディ及び撮像装置に関する。
【背景技術】
【０００２】
撮像装置による動画撮影に合わせて撮影対象の音を集音する場合に、撮像装置の表示部に撮影対象が映し出された画面を見ながら撮影者が所望の被写体位置を入力し、入力された被写体位置の方向にマイクの集音感度の指向性を高める撮像装置がある（例えば、特許文献１参照）。
【先行技術文献】
【特許文献】
【０００３】
【特許文献１】特開２００８−２７１１５７号公報
【発明の概要】
【発明が解決しようとする課題】
【０００４】
しかしながら、特許文献１によると、目的とする集音方向に対し、集音感度の指向性を設定することから、被写体の方向や、被写体までの距離が変わった場合には、被写体の移動を捕捉することができず、集音感度の指向性から外れた被写体から発せられる音は、不要な音と判定され集音できなくなるという問題がある。そのため、被写体の移動に対応させて集音感度の指向性を集音感度が良くなるように追従させるには、被写体の位置を繰り返し入力する必要があるという問題が生じる。
【０００５】
本発明は、上記問題を解決すべくなされたもので、その目的は、雑音の多い環境においても、撮像対象が発する音を集音するカメラボディ及び撮像装置を提供することにある。
【課題を解決するための手段】
【０００６】
上記問題を解決するために、本発明は、撮影の際に集音された音情報の少なくとも一部の周波数成分を、前記撮影の撮影条件に応じた周波数特性にしたがって制限する信号処理手段と、前記信号処理手段によって周波数成分が制限された音情報を、前記撮影で取得された動画情報と関連付けて記録する記録手段と、を備えることを特徴とするカメラボディである。
【０００７】
また、本発明は、上記の発明において、ユーザーの操作に基づいて前記撮影の撮影モードを選択する選択手段を備え、前記撮影条件は、前記選択手段によって選択された撮影モードであることを特徴とする。
【０００８】
また、本発明は、上記の発明において、前記撮影条件は、前記カメラボディに着脱可能なレンズ鏡筒から出力される距離信号によって示される距離であることを特徴とする。
また、本発明は、上記の発明において、前記撮影条件は、前記カメラボディに着脱可能なレンズ鏡筒から出力される焦点距離であることを特徴とする。
【０００９】
また、本発明は、上記の発明において、前記撮影条件は、前記カメラボディに着脱可能なレンズ鏡筒の種別であることを特徴とする。
また、本発明は、上記の発明において、前記信号処理手段は、前記音情報を出力する集音手段の周波数感度特性が不明である場合には、前記周波数特性にしたがって制限すること禁止することを特徴とする。
【００１０】
また、上記問題を解決するために、本発明は、上記のいずれかに記載のカメラボディと、を備えることを特徴とする撮像装置である。
【発明の効果】
【００１１】
この本発明によれば、カメラボディは、信号処理手段が、撮影の際に集音された音情報の少なくとも一部の周波数成分を、撮影の撮影条件に応じた周波数特性にしたがって制限する。記録手段は、信号処理手段によって周波数成分が制限された音情報を、撮影で取得された動画情報と関連付けて記録する。
これにより、カメラボディは、雑音の多い環境において、撮像対象が発する音を集音することができる。
また、この発明によれば、撮像装置は、上記に記載のカメラボディを備える。
これにより、撮像装置は、雑音の多い環境において、撮像対象が発する音を集音することができる。
【図面の簡単な説明】
【００１２】
【図１】本発明の一実施形態による撮像装置の構成を示すブロック図である。
【図２】第１実施形態による集音制御処理を示すフローチャートである。
【図３】第２実施形態による集音制御処理を示すフローチャートである。
【図４】第３実施形態による集音制御処理を示すフローチャートである。
【図５】第４実施形態による集音制御処理を示すフローチャートである。
【発明を実施するための形態】
【００１３】
（第１実施形態）
以下、本発明の一実施形態について、図面を参照して説明する。
図１は、本実施形態による撮像装置の構成を示すブロック図である。この図に示される撮像装置１は、カメラボディ１００及びカメラボディ１００に取り付けられるレンズ鏡筒２００を備える。
撮像装置１においてレンズ鏡筒２００は、光学系２１０、光学系駆動部２２０、光学系制御部２３０を備える。
レンズ鏡筒２００における光学系２１０は、撮像素子８への光の出力を調整する光学素子と、その光学素子などを保護する構造を備えている。例えば、光学系２１０は、被写体距離に応じて焦点を調整する焦点調整機構、焦点距離を調整し撮影画角を変更するズーム機構、通過する光量を調整する絞り機構などを有し、それぞれの設定状態を検出する各種センサー、エンコーダなどが設けられる。焦点調整機構には、ユーザーの操作に応じた距離を設定して連動させるとともに、設定された距離を示す距離環が設けられる。光学系駆動部２２０は、制御部２０からの制御信号に応じて光学系２１０をモーターなどのアクチュエータによって駆動して、撮像素子８への光の出力を調整する。光学系制御部２３０は、光学系２１０に設けられた各種センサー、エンコーダの情報を収集し、制御部２０に通知する。光学系制御部２３０から通知される情報には、レンズ鏡筒２００の種別を示すレンズ鏡筒種別情報、レンズ鏡筒２００の距離環に設定された距離情報、レンズ鏡筒２００固有又はズーム機能で設定された焦点距離情報、絞り機能によって設定された絞り値などがある。
【００１４】
撮像装置１においてカメラボディ１００は、ミラー３、ファインダ４、測距部５、撮像素子８、不揮発メモリー１１、バッファメモリー１２、操作検出回路１３、モニター制御回路１４、モニター１５、メモリー制御回路１６、メモリー１７、制御部２０、マイク４１Ａ、及び増幅部４２Ａと４２Ｂを備える。また、マイク４１Ｂは、カメラボディ１００に選択的に接続される外部マイクを示す。
【００１５】
カメラボディ１００におけるミラー３は、メインミラー３ａとサブミラー３ｂを備える。撮像準備中の場合のミラー３は、カメラ鏡筒２００から出力される光をメインミラー３ａが反射してファインダー４に入力する。メインミラー３ａを透過した一部の光は、サブミラー３ｂによって反射され、測距部５に入力される。撮像時には、メインミラー３ａは、上部に跳ね上げられ、カメラ鏡筒２００から出力される光が撮像素子８に入力される。
ファインダ４は、プリズム４ａ、フォーカスポイント表示手段４ｂ、及びスクリーン４ｃを備える。プリズム４ａは、メインミラー３ａによって反射された光を撮影者が確認できる正立像にして出力する。フォーカスポイント表示手段４ｂは、制御部２０からの制御に基づいてフォーカスポイント（焦点調整を行う領域）の表示を行う。スクリーン４ｃは、撮影者にレンズ鏡筒２００における焦点距離設定のずれを視覚的に判定できるように変換して出力する。また、ファインダ４内には、測光センサー１８が設けられ、プリズム４ａに入力された光の一部を集光し、その光の光量を変換し制御部２０に入力する。
【００１６】
測距部５は、ミラー３からの光が入力され、その入力された光によって示される被写体の像に基づいて、ピントの調整状態を検出して制御部２０に入力する。
撮像素子８は、ＣＣＤ（Charge Coupled Device）或いはＣＭＯＳ（Complementary Metal Oxide Semiconductor）センサーなどの受光素子を含んで構成され、光学系２１０から出力され、その受光部に結像された像を電気信号に変換して画像信号を出力する。撮像素子８には、その受光部が出力する画像信号を増幅し、デジタル信号に変換する変換部と、制御部２０からの制御信号に応じて撮像素子８を駆動させ、撮像素子８により結像された像の画像信号への変換や、変換された画像信号の出力などの制御する撮像素子制御部が含まれる。
【００１７】
不揮発メモリー１１には、制御部２０を動作させるプログラムや、撮像され生成された画像データ、集音された音情報、ユーザーから入力された各種設定や撮像条件などの情報が記憶される。また、記憶される情報には、撮像装置１の動作状態を定める設定情報、条件判定のための閾値情報、条件判定結果の情報などの各種制御情報などが記録される。
バッファメモリー１２は、制御部２０の制御処理に用いられる一時的な情報の記憶領域であり、例えば、撮像素子８から出力される画像信号や、マイク４１Ａなどから出力される音情報、画像信号及び音情報に基づいて処理された処理結果などが制御部２０によって一時的に記憶される。
【００１８】
操作検出回路１３は、入力部に入力されたユーザーの操作を検出し、検出した操作情報を制御信号として制御部２０に入力する。入力部は、例えば、電源スイッチ１３ａ、レリーズスイッチ１３ｂ、オートフォーカス（ＡＦ）操作を制御するためのＡＦ操作手段１３ＡＦ、撮影モードの設定を行うセレクタボタン１３ＳＥＬなどがある。操作検出回路１３は、撮影中に行われた操作も検出する。制御部２０は、入力部に入力された操作情報を受付けて、その操作情報に基づいた制御指示を出力するとともに、操作情報を不揮発メモリー１１に記憶する。
【００１９】
モニター制御回路１４は、例えば、モニター１５の点灯、消灯や明るさ調整などの表示制御や、制御部２０から出力される画像データをモニター１５に表示させる処理を行う。モニター１５は、画像データを表示し、例えば、液晶ディスプレイ（ＬＣＤ：Liquid Crystal Display）で構成される。
【００２０】
メモリー制御回路１６は、制御部２０とメモリー１７との情報の入出力を制御し、例えば、制御部２０によって生成された画像データ、音データなどの情報をメモリー１７に記憶させる処理や、メモリー１７に記憶されている画像データ、音データなどの情報を読み出して制御部２０に出力する処理などを行う。メモリー１７は、例えば、メモリーカードなどカメラボディ１００から抜き差し可能な記憶媒体であり、制御部２０によって生成される画像データ、音データなどが記憶される。
【００２１】
マイク４１Ａは、動画の撮像に合わせて記録する音情報を集音し、集音した音情報を変換して音信号を出力する。マイク４１Ａは、例えばカメラボディ１００の正面に設けられ、可聴周波数範囲の周波数帯域において感度を有し、周波数依存性が低い周波数特性を備える。
増幅部４２Ａは、マイク４１Ａから入力される音信号を増幅する増幅回路、増幅された音信号をデジタル信号に変換するアナログデジタル（ＡＤ）変換回路を含んで構成され、デジタル信号を制御部２０に入力する。
マイク４１Ａ及び増幅部４２Ａは、設定情報により、或いは、カメラボディ１００にマイク４１Ｂを機能させる場合には機能を停止させることができる。
【００２２】
また、マイク４１Ｂは、動画の撮像に合わせて記録する音情報をマイク４１Ａに代わって収集し、集音した音情報を変換し音信号を出力する。マイク４１Ｂは、例えばカメラボディ１００の外部に設けられ、可聴周波数範囲の周波数帯域において感度を有する周波数特性を備える。マイク４１Ｂは、内蔵されるマイク４１Ａのように感度特性や周波数特性は、特定することが困難である。その感度特性や周波数特性を特定できない場合、すなわち感度特性や周波数特性が不明な場合には、感度特性や周波数特性を特定できるマイク４１Ａと同じように集音された音に基づいた信号処理を行っても所望の性能を得ることができない場合がある。そのような場合には、予め登録された設定に基づいて選択的に、或いは、外部接続のマイク４１Ｂを利用することを条件として、後段のフィルター処理を行わないことが選択できる。
【００２３】
増幅部４２Ｂは、マイク４１Ｂから入力される音信号を増幅する増幅回路、増幅された音信号をデジタル信号に変換するアナログデジタル（ＡＤ）変換回路を含んで構成され、デジタル信号を制御部２０に入力する。また、増幅部４２Ｂは、マイク４１Ｂが接続されたことを検出して検出情報を制御部２０に入力する。増幅部４２Ｂは、制御部２０によって設定される設定情報により、或いは、カメラボディ１００にマイク４１Ｂが接続されないときには、マイク４１Ｂから入力される音信号を増幅する機能を停止させることができる。
【００２４】
制御部２０は、不揮発メモリー１１に記憶されたプログラムに基づいてカメラボディ１００の各部の動作を制御するＣＰＵ（Central Processing Unit）などからなる。例えば、制御部２０は、操作検出回路１３に入力されるユーザーからの操作情報に応じて、カメラボディ１００への電源の投入、光学系駆動部２２０を介した光学系２１０の駆動制御、撮像素子８の駆動制御、モニター制御回路１４を介したモニター１５の表示制御、撮像素子８で検出した被写体の撮影処理、マイク４１Ａ又は４１Ｂで集音される音情報の信号処理の制御を行う。
【００２５】
制御部２０は、画像処理部２１、表示制御部２２、撮影制御部２３、条件判定部２４、フィルタ処理部２５及び録音制御部２６を備える。
制御部２０における画像処理部２１は、撮像素子８の駆動制御を行うと共に、撮像素子８の撮像領域内に捉えられ出力された画像信号を読み出し、読み出した画像信号に基づいて画像データを生成する画像処理を行う。画像処理部２１は、画像処理により生成した画像データをバッファメモリー１２に記憶させる。表示制御部２２は、画像処理部２１によって生成されバッファメモリー１２に記憶された画像データを一定時間間隔毎に読み出し、読み出した画像データをリアルタイムにモニター１５に出力する。ここで、一定時間間隔とは、例えば１／６０秒であり、この場合、表示制御部２２によって１秒間に６０フレームの画像データがスルー画としてモニター１５に表示され、動画像としてメモリー１７に記録される。
【００２６】
撮影制御部２３は、ユーザーの操作入力に基づいた撮影処理を制御するための撮影処理開始指令又は撮影処理終了指令などの制御信号が操作検出回路１３から入力されることに応じて、各部に対して必要な制御信号を出力する。撮影制御部２３は、撮像処理開始命令が入力されると光学系２１０を駆動させ、画像データを生成する撮像処理を行う。撮影制御部２３は、予めユーザーから入力された撮影条件に応じて、光学系駆動部２２０を介して光学系２１０のフォーカシング、露出制御、ズーミングなどの制御を行う。
撮影制御部２３は、操作検出回路１３のＡＦ操作手段１３ＡＦの操作が検出されると、ＡＦ制御の処理を行う。ＡＦ制御の処理では、撮影制御部２３は、光学系２１０を駆動させながら測距部５によって行われた測定結果に基づいて被写体との距離を判定し、判定結果に基づいて光学系２１０の焦点調整機構を調整する。また、ＡＦ制御の処理で測距処理の対象とされた被写体は、ファインダ４で確認できるように、フォーカスポイント表示手段４ｂに表示する。
また、撮影制御部２３は、撮影を行う前に、各種設定の設定処理を行う。撮影制御部２３は、例えば操作検出回路１３のセレクタボタン１３ＳＥＬの操作が検出されると、入力された設定情報を不揮発メモリー１１に記録する。記録される情報には、撮影モードを選択する選択情報、マイク選択情報、レンズ鏡筒の距離情報、レンズ鏡筒の種別情報、録画制御情報、録音制御情報などがある。
【００２７】
撮影モードによって選択される撮影条件は、撮影の対象に応じた撮影の特徴によって分類される。撮影条件に対応する設定値は、その撮影に適する設定値に標準値からシフトした値に設定する。撮影モードによって選択される撮影条件では、「風景モード」、「ポートレートモード」、「昆虫モード」などのいずれかの候補から選択される。
【００２８】
レンズ鏡筒２００の距離によって選択される撮影条件は、レンズ鏡筒２００の距離環に設定され、レンズ鏡筒２００から出力された距離信号によって示させる距離に応じた撮影の特徴によって分類される。撮影条件に対応する設定値は、その撮影に適する設定値に標準値からシフトした値に設定する。レンズ鏡筒２００の距離によって選択される撮影条件では、「遠距離」（距離ｄが閾値ｄ１より遠方、「ｄ＝∞」と記す。）、「中距離」（距離ｄが閾値ｄ１より近く、閾値ｄ２より遠方、「∞＞ｄ＞至近」と記す。なお、ｄ１＞ｄ２とする。）、「短距離」（距離ｄが閾値ｄ２より近い、「ｄ＝至近」と記す。）の３つの領域のいずれかに分類される。
【００２９】
レンズ鏡筒の焦点距離によって選択される撮影条件は、レンズ鏡筒２００の焦点距離に応じた撮影の特徴によって分類される。撮影条件に対応する設定値は、その撮影に適する設定値に標準値からシフトした値に設定する。レンズ鏡筒２００の焦点距離によって選択される撮影条件では、レンズ鏡筒２００の焦点距離が「広角（ワイド）」、「標準（ミドル）」、「望遠（テレ）」の３つの領域のいずれかに分類される。判定に用いられる閾値を例示すれば、「広角」と「標準」を判別は、３５ｍｍフィルム換算の焦点距離が４０ｍｍ未満を広角とし、それ以上を「標準」（又は「望遠」）とする。また、「標準」と「望遠」の判定は、３５ｍｍフィルム換算の焦点距離が８５ｍｍ未満を「標準」（又は「広角」）とし、それ以上を望遠とする。
【００３０】
レンズ鏡筒の種別によって選択される撮影条件は、レンズ鏡筒２００に設定され、レンズ鏡筒２００の種別を示す種別情報に応じた撮影の特徴によって分類される。撮影条件に対応する設定値は、その撮影に適する設定値に標準値からシフトした値に設定する。レンズ鏡筒２００の種別によって選択される撮影条件では、レンズ鏡筒２００の種別を「ノーマルレンズ」、「ソフトフォーカスレンズ」、「マクロレンズ」の３つの種類に分類する。
「ノーマルレンズ」と判定されるレンズ鏡筒は、「ソフトフォーカスレンズ」と「マクロレンズ」に分類されない標準的な光学特性を有するものとする。「ソフトフォーカスレンズ」と判定されるレンズ鏡筒は、球面収差を積極的に利用して、撮像される画像のコントラストを抑える働きを有するレンズであり、主にポートレートなどの撮影に使われる。「マクロレンズ」と判定されるレンズ鏡筒は、最低至近距離を標準的な範囲より短く設定できるレンズ鏡筒であり、主に被写体に接近しての撮影に使われる。
なお、分類情報を出力しない、或いは、出力する分類種別が上記分類のいずれでもないレンズ鏡筒は、上記の３つの分類以外のレンズ鏡筒として分類される。
【００３１】
条件判定部２４は、設定された設定情報或いは検出された情報を参照し、参照した情報に基づいて判定を行い録音時の音信号のフィルタ処理を選択する情報を出力し、同情報を不揮発メモリー１１に記録する。条件判定部２４は、マイク４１Ｂが接続されていることを検出し、或いは、マイク４１Ｂの周波数特性などが特定されないことを示す設定情報を参照し、マイク４１Ｂで集音された音の信号処理において、一部の周波数成分を除去する信号処理を制限させる。
【００３２】
操作検出回路１３が検出したユーザーの操作情報を判定し、判定した情報を不揮発メモリー１１に記録すると共に、必要とされる各種処理の制御指示を出力する。例えば、ＡＦ操作手段１３ＡＦによりオートフォーカス（ＡＦ）操作入力を検出すると、レンズ鏡筒２００における光学系駆動部２２０のＡＦ制御を行うＡＦ制御用のモーターを駆動して光学系２１０を調整することによりＡＦ制御を行う。
【００３３】
フィルタ処理部２５は、条件判定部２４によって検出されたユーザーの操作情報、設定情報などに応じて、一部の周波数帯域を制限して、その雑音の低減処理を行う。
録音制御部２６は、フィルタ処理部２５によって一部の周波数帯域を制限して、雑音の低減処理された音情報をバッファメモリー１２に記録する。また、録音制御部２６は、記録された音情報を動画情報と関連付けを行ってメモリー１７に書き込み記録する。
【００３４】
続いて、本実施形態の音情報の集音制御処理について示す。
処理の説明に先立ち被写体が発する音の特徴について示す。
人間の声の主たる成分が含まれる周波数帯域は８０Ｈｚから数ｋＨｚ程度と言われている。例えば、電話で伝送可能な周波数帯域は、３００Ｈｚから３．４ｋＨｚまでに設定され、その周波数帯域の範囲で人間の声の主たる成分を伝送することができる。
また、昆虫の鳴き声では、鈴虫が４ｋＨｚ以上、コオロギが５ｋＨｚ以上、キリギリスが９．５ｋＨｚ以上の周波数帯域にそれぞれ特徴がある周波数成分を含んでいることが知られている。上記の昆虫の鳴き声のほかにも、人間の声の主たる成分が含まれる周波数帯域より高い周波数帯域の成分を有する音には、セミの鳴き声、風鈴の音、イルカの鳴き声などがある。そのような、電話の周波数帯域より高い周波数帯域の音を電話で伝送しようとしても伝送することができない。
【００３５】
また、人間の可聴周波数は、２０Ｈｚから２０ｋＨｚ程度であると知られている。マイクの特性も、人間の可聴周波数とほぼ等しい周波数帯域を備えているものが多い。
そこで、マイクで集音した音を、人間の声の主たる成分が含まれる周波数帯域と、その帯域を外れた周波数帯域とに分けることにより、その音を発する被写体を選択することが可能となる。
風景の撮影では、近くにいる人の話声が雑音となる場合がある。この場合、人間の声の主たる成分が含まれる周波数帯域（例えば、３００Ｈｚから３．４ｋＨｚまで）を除去するバンドパスフィルター（人間の声の主たる成分が含まれる帯域のノッチフィルタ）を適用することにより、人間の声の主たる成分を除去した音を選択して記録できる。この周波数特性を有するフィルターを、フィルターＡという。
【００３６】
ポートレートの撮影では、被写体が人間であることが一般的である。この場合、人間の声の主たる成分が含まれる周波数帯域（例えば、３００Ｈｚから３．４ｋＨｚまで）のバンドパスフィルターを適用することにより、人間の声を選択的に記録できる。この周波数特性を有するフィルターを、フィルターＢという。
【００３７】
昆虫の撮影では、被写体が発する音（鳴き声）が人間の声の主たる成分が含まれる周波数帯域より高いことが多い。この場合、人間の声の主たる成分が含まれる周波数帯域を含む低い周波数の音を除去するハイパスフィルターを適用することにより、人間の声の主たる成分が含まれる周波数帯域（例えば、３００Ｈｚから３．４ｋＨｚまで）を除去して、比較的高い周波数帯域の音を強調して記録できる。例えば、ハイパスフィルターのカットオフ周波数を４ｋＨｚに設定する。この周波数特性を有するフィルターを、フィルターＣという。
【００３８】
また、人間の声、昆虫の鳴き声などは、自然音であるから各フィルターに設定するカットオフ周波数を挟んで、通過域と遮断域の両方の帯域に音成分が存在することがある。そのような場合であっても、上記のフィルタにより主たる周波数帯域を遮断域として設定された場合には、主たる周波数帯域の音成分を抑圧できることにより、録音される所望の音に含まれる雑音成分を大きく減衰することが可能となる。
ここで示したフィルターＡ、Ｂ、Ｃの処理は、フィルター処理部２５によって実施され、選択された条件によって、その特性が切り換えられる。
【００３９】
図２は、本実施形態の集音制御処理を示すフローチャートである。
この図に示される集音制御処理では、外部に接続されたマイク４１Ｂを利用する場合の処理、撮影シーンに応じた処理について示す。
このフローチャートに示す集音制御処理では、最初に制御部２０の条件判定部２４が、内蔵型のマイク４１Ａを利用するか否かの判定を行う。その判定は、不揮発メモリー１１に記録されている設定情報を参照し、記憶された設定情報にしたがって行われる。マイク４１Ｂが接続されている場合などの理由により、マイク４１Ａを利用しない設定とされている場合がある。マイク４１Ａを利用しないと判定された場合にはステップＳ１０８の処理を選択し、フィルター処理を行わないこととする。内蔵型のマイク４１Ａと異なる外部に接続されるマイク４１Ｂでは、その特性を管理することができず、所望の集音制御処理を行う効果が得にくいことによる。そのため、周波数特性が不明なマイク４１Ｂが接続されている場合には、フィルター処理を行わないこととする（ステップＳ１００）。
【００４０】
ステップＳ１００の判定の結果、内蔵型のマイク４１Ａを利用すると判定された場合は、撮影条件として選択される撮影モードの設定を行う。設定される撮影モードは、「風景モード」、「ポートレートモード」、「昆虫モード」の中から選択される。条件判定部２４は、セレクタボタン１３ＳＥＬが検出した撮影モードの情報が操作検出回路１３を介して入力され、入力された撮影モードの情報を不揮発メモリー１１に記録する（ステップＳ１０１）。
【００４１】
以下、設定された撮影モードに応じた撮影条件にしたがってフィルター処理の特性を選択する。条件判定部２４は、設定された撮影モード設定が、「風景」であるか否かの判定を行う（ステップＳ１０２）。ステップＳ１０２の判定により設定された撮影モード設定が、「風景」であれば、条件判定部２４は、フィルターＡを選択し、集音された音声情報をフィルターＡを用いて周波数帯域の一部を制限する（ステップＳ１０３）。ステップＳ１０２の判定により設定された撮影モード設定が、「風景」でなければ、条件判定部２４は、「ポートレート」であるか否かの判定を行う（ステップＳ１０４）。ステップＳ１０４の判定により設定された撮影モード設定が、「ポートレート」であれば、条件判定部２４は、フィルターＢを選択し、集音された音声情報をフィルターＢを用いて周波数帯域の一部を制限する（ステップＳ１０５）。設定された撮影モード設定が、「ポートレート」でなければ、条件判定部２４は、「昆虫」であるか否かの判定を行う（ステップＳ１０６）。ステップＳ１０６の判定により設定された撮影モード設定が、「昆虫」であれば、条件判定部２４は、フィルターＣを選択し、集音された音声情報をフィルターＣを用いて周波数帯域の一部を制限する（ステップＳ１０７）。設定された撮影モード設定が、「昆虫」でなければ、条件判定部２４は、フィルターの選択においてフィルター処理を行わないことを選択する（ステップＳ１０８）。
【００４２】
上記で行われたフィルター処理の特性選択に基づいて、マイク４１Ａ又はマイク４１Ｂで集音された音は、フィルター処理の有無及び選択されたフィルターの種類に応じて、集音された音の周波数帯域の一部を制限するフィルター処理をフィルタ処理部２５が行って、録音制御部２６によってバッファメモリー１２に記録する。そして、録音制御部２６は、バッファメモリー１２に記録された音情報を、同時に撮影された動画情報と同期させてメモリー１７への記録を開始する（ステップＳ１１０）。
操作検出回路１３を介して入力される録画終了の入力を検出すると、録音制御部２６によって録画とともに録音を終了して撮影及び集音を終了させる（ステップＳ１１１）。
【００４３】
撮像装置１のカメラボディ１００は、フィルタ処理部２５が、撮影の際に集音された音情報の少なくとも一部の周波数成分を、撮影の撮影条件に応じた周波数特性にしたがって制限する。録音制御部２６が、フィルタ処理部２５によって周波数成分が制限された音情報を、撮影で取得された動画情報と関連付けて記録する。
これにより、カメラボディ１００は、雑音の多い環境において、撮像対象が発する音を集音することができる。
また、カメラボディ１００は、セレクタボタン１３ＳＥＬがユーザーの操作に基づいて撮影の撮影モードを選択する。撮影条件は、セレクタボタン１３ＳＥＬによって選択された撮影モードである。
これにより、撮影モード設定を判定条件とすることができ、撮影モードに応じた集音が容易に行える。
【００４４】
（第２実施形態）
以下、本発明の一実施形態について、図面を参照して説明する。
第２実施形態で示す音情報の集音制御処理は、図１に示した撮像装置１による異なる処理の形態について示す。構成及び符号などは、図１を参照する。
ここで示される集音制御処理では、被写体までの距離に応じた処理について示す。
撮影条件の特徴は、被写体までの距離によって分類できる。例えば、「遠距離」に設定される撮影では、遠方の風景の撮影に利用される。「中距離」に設定される撮影では、人物などの撮影に利用される。「近距離」に設定される撮影では、被写体によって撮影する昆虫などのクローズアップ撮影に利用される。本実施形態では、このような被写体までの距離に応じて撮影条件を切り換える。
【００４５】
図３は、本実施形態の集音制御処理を示すフローチャートである。
このフローチャートに示す集音制御処理では、最初に制御部２０の撮影制御部２３は、入力されたＡＦ制御指示を検出し、レンズ鏡筒２００の光学系２１０や測距部５などのＡＦ機能を働かせて、撮影する主要被写体までの距離を測定する。条件判定部２４は、測定された結果として、レンズ鏡筒２００の距離環に設定され、出力される距離情報に基づいて撮影条件の設定を行う。設定される撮影条件は、「遠距離」、「中距離」、「短距離」の中から選択される。条件判定部２４は、レンズ鏡筒２００から入力された情報を不揮発メモリー１１に記録する（ステップＳ２０１）。
【００４６】
以下、設定された撮影条件に応じてフィルター処理の特性を選択する。条件判定部２４は、設定された撮影条件設定が、「遠距離」であるか否かの判定を行う（ステップＳ２０２）。ステップＳ２０２の判定により設定された撮影条件設定が、「遠距離」であれば、条件判定部２４は、フィルターＡを選択し、集音された音声情報をフィルターＡを用いて周波数帯域の一部を制限する（ステップＳ２０３）。ステップＳ２０２の判定により設定された撮影条件設定が、「遠距離」でなければ、条件判定部２４は、「中距離」であるか否かの判定を行う（ステップＳ２０４）。ステップＳ２０４の判定により設定された撮影条件設定が、「中距離」であれば、条件判定部２４は、フィルターＢを選択し、集音された音声情報をフィルターＢを用いて周波数帯域の一部を制限する（ステップＳ２０５）。設定された撮影条件設定が、「中距離」でなければ、条件判定部２４は、「短距離」であるか否かの判定を行う（ステップＳ２０６）。ステップＳ２０６の判定により設定された撮影条件設定が、「短距離」であれば、条件判定部２４は、フィルターＣを選択し、集音された音声情報をフィルターＣを用いて周波数帯域の一部を制限する（ステップＳ２０７）。設定された撮影条件設定が、「短距離」でなければ、条件判定部２４は、フィルター処理の選択においてフィルター処理を行わないことを選択する（ステップＳ２０８）。
【００４７】
上記で行われたフィルター処理の特性選択に基づいて、撮像制御部２３は、ＡＦ処理による被写体までの距離の測定が改めて行うことが必要か否かの判定を行う。ＡＦ処理を改めて行うことが必要と判定された場合は、ステップＳ２０１からの処理を繰り返す（ステップＳ２０９）。
ステップＳ２０９の判定の結果、ＡＦ処理を改めて行うことが必要ないと判定された場合は、マイク４１Ａで集音された音は、選択されたフィルター処理の有無とフィルターの種類に応じて、集音された音の周波数帯域の一部を制限するフィルター処理をフィルタ処理部２５が行って、録音制御部２６によってバッファメモリー１２に記録する。そして、録音制御部２６は、バッファメモリー１２に記録された音情報を、同時に撮影された動画情報と同期させてメモリー１７への記録を開始する（ステップＳ２１０）。
操作検出回路１３を介して入力される録画終了の入力を検出すると、録音制御部２６によって録画とともに録音を終了して撮影及び集音を終了させる（ステップＳ２１１）。
【００４８】
本実施形態における撮影条件は、カメラボディ１００に着脱可能なレンズ鏡筒２００から出力される距離信号によって示される距離である。
これにより、ＡＦ機構を用いて所望の主要被写体の距離を測定し、その結果のレンズ鏡筒２００から出力される距離に応じた撮影条件設定を判定条件とすることができ、ＡＦ機能によって得られた被写体までの距離に応じた集音が容易に行える。
【００４９】
（第３実施形態）
以下、本発明の異なる実施形態について、図面を参照して説明する。
第３実施形態で示す音情報の集音制御処理は、図１に示した撮像装置１による異なる処理の形態について示す。構成及び符号などは、図１を参照する。
ここで示される集音制御処理では、焦点距離に応じた処理について示す。
撮影条件の特徴は、焦点距離によって分類できる。例えば、「広角（ワイド）レンズ」を用いる撮影では、焦点距離が短いことから画角を広く設定した風景の撮影に利用される。「標準（ミドル）レンズ」では、焦点距離が中庸であることから人物の撮影に利用される。「望遠（テレ）レンズ」では、焦点距離が長く、高倍率で撮影を行うことから昆虫などの撮影に利用される。本実施形態では、このようなレンズ鏡筒の焦点距離に応じて撮影条件を切り換える。
【００５０】
図４は、本実施形態の集音制御処理を示すフローチャートである。
このフローチャートに示す集音制御処理では、最初に制御部２０の条件判定部２４は、レンズ鏡筒２００が出力する焦点距離の情報を検出し、検出された情報に基づいて撮影条件の設定を行う。設定される撮影条件は、「広角（ワイド）」、「標準（ミドル）」、「望遠（テレ）」の中から選択される。条件判定部２４は、レンズ鏡筒２００から入力された情報に基づいて不揮発メモリー１１に記録する（ステップＳ３０１）。
【００５１】
以下、設定された撮影条件に応じてフィルター処理の特性を選択する。条件判定部２４は、設定された撮影条件設定が、「広角」であるか否かの判定を行う（ステップＳ３０２）。ステップＳ３０２の判定により設定された撮影条件設定が、「広角」であれば、条件判定部２４は、フィルターＡを選択し、集音された音声情報をフィルターＡを用いて周波数帯域の一部を制限する（ステップＳ３０３）。ステップＳ３０２の判定により設定された撮影条件設定が、「広角」でなければ、条件判定部２４は、「標準」であるか否かの判定を行う（ステップＳ３０４）。ステップＳ３０４の判定により設定された撮影条件設定が、「標準」であれば、条件判定部２４は、フィルターＢを選択し、集音された音声情報をフィルターＢを用いて周波数帯域の一部を制限する（ステップＳ３０５）。設定された撮影条件設定が、「標準」でなければ、条件判定部２４は、「望遠」であるか否かの判定を行う（ステップＳ３０６）。ステップＳ３０６の判定により設定された撮影条件設定が、「望遠」であれば、条件判定部２４は、フィルターＣを選択し、集音された音声情報をフィルターＣを用いて周波数帯域の一部を制限する（ステップＳ３０７）。設定された撮影条件設定が、「望遠」でなければ、条件判定部２４は、フィルター処理の選択においてフィルター処理を行わないことを選択する（ステップＳ３０８）。
【００５２】
上記で行われたフィルター処理の特性選択に基づいて、マイク４１Ａで集音された音は、選択されたフィルター処理の有無とフィルターの種類に応じて、集音された音の周波数帯域の一部を制限するフィルター処理をフィルタ処理部２５が行って、録音制御部２６によってバッファメモリー１２に記録する。そして、録音制御部２６は、バッファメモリー１２に記録された音情報を、同時に撮影された動画情報と同期させてメモリー１７への記録を開始する（ステップＳ３１０）。
操作検出回路１３を介して入力される録画終了の入力を検出すると、録音制御部２６によって録画とともに録音を終了して撮影及び集音を終了させる（ステップＳ３１１）。
【００５３】
本実施形態における撮影条件は、カメラボディ１００に着脱可能なレンズ鏡筒２００から出力される焦点距離である。
これにより、レンズ鏡筒２００から出力される焦点距離に応じた撮影条件設定を判定条件とすることができ、レンズ鏡筒２００の焦点距離に応じた集音が容易に行える。
【００５４】
（第４実施形態）
以下、本発明の異なる実施形態について、図面を参照して説明する。
第４実施形態で示す音情報の集音制御処理は、図１に示した撮像装置１による異なる処理の形態について示す。構成及び符号などは、図１を参照する。
ここで示される集音制御処理では、レンズ鏡筒種別に応じた処理について示す。
レンズ鏡筒の特徴は、レンズ鏡筒種別によって分類できる。例えば、「ソフトフォーカスレンズ」では、適度にコントラストを抑えた画像を得ることができるため、人物のポートレート撮影に用いられる場合が多い。「マクロレンズ」では、小さな被写体を画面いっぱいに収めるアングルで撮影する場合に用いられる。そのため、小動物や、昆虫の撮影に用いられる場合が多い。本実施形態では、このようなレンズ鏡筒の利用形態に応じて撮影条件を切り換える。
【００５５】
図５は、本実施形態の集音制御処理を示すフローチャートである。
このフローチャートに示す集音制御処理では、最初に制御部２０の条件判定部２４は、レンズ鏡筒２００が出力するレンズ鏡筒種別の情報を検出し、検出された情報に基づいてレンズ鏡筒種別による撮影条件の設定を行う。設定される撮影条件は、「ノーマルレンズ」、「ソフトフォーカスレンズ」、「マクロレンズ」、その他のレンズの中から選択される。条件判定部２４は、レンズ鏡筒２００から入力された情報を不揮発メモリー１１に記録する（ステップＳ４０１）。
【００５６】
以下、設定された撮影条件に応じてフィルター処理の特性を選択する。条件判定部２４は、設定された撮影条件設定が、「ノーマルレンズ」であるか否かの判定を行う（ステップＳ４０２）。ステップＳ４０２の判定により設定された撮影条件設定が、「ノーマルレンズ」であれば、条件判定部２４は、フィルター処理の選択においてフィルター処理を行わないことを選択する（ステップＳ４０３）。ステップＳ４０２の判定により設定された撮影条件設定が、「ノーマルレンズ」でなければ、条件判定部２４は、「ソフトフォーカスレンズ」であるか否かの判定を行う（ステップＳ４０４）。ステップＳ４０４の判定により設定された撮影条件設定が、「ソフトフォーカスレンズ」であれば、条件判定部２４は、フィルターＢを選択し、集音された音声情報をフィルターＢを用いて周波数帯域の一部を制限する（ステップＳ４０５）。設定された撮影条件設定が、「ソフトフォーカスレンズ」でなければ、条件判定部２４は、「マクロレンズ」であるか否かの判定を行う（ステップＳ４０６）。ステップＳ４０６の判定により設定された撮影条件設定が、「マクロレンズ」であれば、条件判定部２４は、フィルターＣを選択し、集音された音声情報をフィルターＣを用いて周波数帯域の一部を制限する（ステップＳ４０７）。設定された撮影条件設定が、「マクロレンズ」でない場合や、「ノーマルレンズ」と「ソフトフォーカスレンズ」と「マクロレンズ」以外のレンズ種別を通知する場合や、レンズ種別を検出できない場合などでは、条件判定部２４は、フィルター処理の選択においてフィルター処理を行わないことを選択する（ステップＳ４０８）。
【００５７】
上記で行われたフィルター処理の特性選択に基づいて、マイク４１Ａで集音された音は、選択されたフィルター処理の有無とフィルターの種類に応じて、集音された音の周波数帯域の一部を制限するフィルター処理をフィルタ処理部２５が行って、録音制御部２６によってバッファメモリー１２に記録する。そして、録音制御部２６は、バッファメモリー１２に記録された音情報を、同時に撮影された動画情報と同期させてメモリー１７への記録を開始する（ステップＳ４１０）。
操作検出回路１３を介して入力される録画終了の入力を検出すると、録音制御部２６によって録画とともに録音を終了して撮影及び集音を終了させる（ステップＳ４１１）。
【００５８】
本実施形態における撮影条件は、カメラボディ１００に着脱可能なレンズ鏡筒２００から出力されるレンズ鏡筒種別である。
これにより、レンズ鏡筒２００から出力されるレンズ鏡筒種別に応じた撮影条件設定を判定条件とすることができ、レンズ鏡筒種別に応じた集音が容易に行える。
【００５９】
なお、本発明は、上記の各実施形態に限定されるものではなく、本発明の趣旨を逸脱しない範囲で変更可能である。本発明の第２実施形態から第４実施形態において、撮像装置１の外部に接続するマイク４１Ｂの説明を省略した。第１実施形態に示したように、マイク４１Ｂを用いて集音する場合には、フィルター処理を行わないように設定する。
また、ＡＦ制御を行うための入力の検出は、ＡＦ操作手段１３ＡＦによる操作の検出のほか、レリーズスイッチ１３ｂの半押し状態の検出であっても良い。
また、上記実施形態に示したフィルタ処理は、プログラムによるソフトウェア処理として説明したが、ハードウェア処理であっても良い。
また、各フィルタの周波数帯域は、一例を示したものであり目的或いは被写体と周囲の雑音の周波数成分に応じてそのカットオフ周波数を変更しても良い。
【符号の説明】
【００６０】
１  撮像装置
１００  カメラ本体
４１Ａ  マイク
２５  フィルタ制御部
２６  録音制御部
【図１】
2011018995.tif 000003
【図２】
2011018995.tif 000004
【図３】
2011018995.tif 000005
【図４】
2011018995.tif 000006
【図５】
2011018995.tif 000007